(57)【要約】【課題】  収納物の破損を確実に防止しつつ使い勝手の良いボックスファイルを提供する。  【解決手段】  前板２，後板４及び左右の側板３，５によって筒状に構成され、前板２，後板４及び左右の側板３，５の下縁にそれぞれ設けられた係止片２ｂ〜５ｂを内方に折り曲げて互いに係合させることにより底部９が形成され、内部に板状の中敷６が配置されるボックスファイルにおいて、底部９が形成された状態で係止片３ｂ，５ｂにおける表裏面の双方が露出する複数箇所に、それぞれ切込部２４，２５が形成されており、中敷６の両端部７，８が各切込部２４，２５に挿入される。  【選択図】  図２
2006272703.tif 000002
【特許請求の範囲】
【請求項１】
前板，後板及び左右の側板によって筒状に構成され、前記前板，後板及び左右の側板の下縁にそれぞれ設けられた係止片を内方に折り曲げて互いに係合させることにより底部が形成され、内部に板状の中敷が配置されるボックスファイルにおいて、
前記底部が形成された状態で前記係止片における表裏面の双方が露出する複数箇所に、それぞれ切込部が形成されており、前記中敷の両端部が前記各切込部に挿入されるボックスファイル。
【請求項２】
前記切込部は、前記左右の側板に設けられた前記係止片にそれぞれ形成されている請求項１に記載のボックスファイル。
【請求項３】
前記中敷は、前記切込部と略同じ幅を有する差込部を備え、該差込部が前記切込部に挿入される請求項１または２に記載のボックスファイル。
【請求項４】
前記係止片は、前記切込部によって可撓性の舌状片が形成されている請求項１から３のいずれかに記載のボックスファイル。
【発明の詳細な説明】
【技術分野】
【０００１】
本発明は、書類や、書類ファイル、書類ホルダーなどを収納可能なボックスファイルに関する。
【背景技術】
【０００２】
従来のボックスファイルとして、例えば、特許文献１に開示された構成が知られている。このボックスファイルは、図３に示すように、左側板５１，前板５２，右側板５３及び後板５４が、それぞれ折曲線を介して直線状に連設されており、それぞれの下縁に係止片５１ａ，５２ａ，５３ａ，５４ａが折曲可能に設けられている。
【０００３】
組み立てに際しては、左側板５１と右側板５３とが対向し、前板５２と後板５４とが対向するように折り曲げて、左側板５１及び後板５４の側縁部同士を連結した後、各係止片５１ａ，５２ａ，５３ａ，５４ａを内方に折り曲げて互いに係合させることにより、図４に示すように、底部６０が形成される。この底部６０は、各係止片５１ａ，５２ａ，５３ａ，５４ａの係合によって凹凸を有するため、矩形状の中敷き６１によりカバーされる。
【特許文献１】特開平１１−７０７７２号公報
【発明の開示】
【発明が解決しようとする課題】
【０００４】
上述した従来のボックスファイルは、収納物が存在しない状態でボックスファイルが倒れると、中敷き６１が前板５２又は後板５４の内面に密着してしまい、再び起立させてもこの密着状態が解消されず、底部６０の凹凸が露出したままになることがあった。このような不具合は使用者が気付かないケースが多いため、ボックスファイルに書類やファイルなどを収納して内部で移動させたりすると、収納物の端部が底部６０の凹凸に引っかかり、書類の破れやファイルの損傷などの問題を生じていた。
【０００５】
また、ボックスファイル内のゴミや小物などを取り出すため、ボックスファイルを傾けたり転倒させたりすると、ゴミや小物以外に中敷き６１も落下することがあり、使用者に不便を与えることがあった。
【０００６】
本発明は、このような問題を解決すべくなされたものであって、収納物の破損を確実に防止しつつ使い勝手の良いボックスファイルの提供を目的とする。
【課題を解決するための手段】
【０００７】
本発明の前記目的は、左側板，前板，右側板及び後板によって筒状に構成され、前記左側板，前板，右側板及び後板の下縁にそれぞれ設けられた係止片を内方に折り曲げて互いに係合させることにより底部が形成され、内部に板状の中敷が配置されるボックスファイルにおいて、前記底部が形成された状態で前記係止片における表裏面の双方が露出する複数箇所に、それぞれ切込部が形成されており、前記中敷の両端部が前記各切込部に挿入されるボックスファイルにより達成される。
【発明の効果】
【０００８】
本発明によれば、収納物の破損を確実に防止しつつ使い勝手の良いボックスファイルを提供することができる。
【発明を実施するための最良の形態】
【０００９】
以下、本発明の実施の形態について添付図面を参照して説明する。図１は、本発明の一実施形態に係るボックスファイルの展開図である。このボックスファイルは、同図に示すように、前板２、右側板３、後板４及び左側板５が、それぞれ折曲線３１，３２，３３を介して直線状に連設されている。また、前板２の側縁には、折曲線３４を介して貼着片１５が設けられており、この貼着片１５を折り曲げて左側板５における側縁部の内面側に貼着することで、筒状に構成される。ボックスファイルの材料は、厚紙、ダンボール紙、発泡樹脂などの合成樹脂を例示することができ、可撓性を有することが好ましい。
【００１０】
前板２、右側板３、後板４及び左側板５の上縁には、それぞれ折曲線３５，３６，３７，３８を介して補強片２ａ，３ａ，４ａ，５ａが設けられている。各補強片２ａ，３ａ，４ａ，５ａは、内方に折り込まれて、それぞれ前板２、右側板３、後板４及び左側板５の内面に貼着される。また、前板２及び後板４、及びこれらに貼着される補強片２ａ，４ａには、それぞれ把持用の開口１６，１７，１８，１９が形成されている。
【００１１】
前板２、右側板３、後板４及び左側板５の下縁には、それぞれ折曲線３９，４０，４１，４２を介して係止片２ｂ，３ｂ，４ｂ，５ｂが設けられている。前板２の係止片２ｂの先端中央には、係合用切欠部２０が形成されており、両側縁に、露出用切欠部２１，２２が形成されている。また、後板４の係止片４ｂの先端中央には、係合用切欠部２０とほぼ同じ幅を有する突部２３が形成されている。
【００１２】
右側板３及び左側板５の係止片３ｂ，５ｂには、折曲線４０，４２に近い基部に、それぞれ切込部２４，２５が形成されている。切込部２４，２５は、係止片３ｂ，５ｂの先端に向けて凸となる円弧状に形成されており、これによって、切込部２４，２５を端縁とする舌状片２４ａ，２５ａが形成されている。係止片３ｂ，５ｂの先端部は、鉤状部２６，２７が形成されている。
【００１３】
これらの係止片２ｂ，３ｂ，４ｂ，５ｂは、内方に折り曲げて互いに係合させることにより、図２に示すように、ボックスファイルの底部９を構成する。具体的には、まず、前板２の係止片２ｂを内方に折り曲げた後、右側板３及び左側板５の係止片３ｂ，５ｂを内方に折り曲げて、鉤状部２６，２７を係合用切欠部２０に係合させる。この後、後板４の係止片４ｂを内方に折り曲げて、突部２３を係合用切欠部２０に係合させる。こうして、有底筒状のボックスファイルが得られる。切込部２４，２５は、前板２の係止片２ｂに形成された露出用切欠部２１，２２を介してボックスファイルの収納空間側に露出しており、それぞれの凸側が対向する。尚、底部９を構成するための各係止片２ｂ〜５ｂの折り曲げ順序は、必ずしも本実施形態のものに限定されない。
【００１４】
ボックスファイルの収納空間には、矩形状に形成された可撓板からなる中敷６が収納される。中敷６は、長手方向の両端に、切込部２４，２５の幅とほぼ同じ幅を有する差込部７，８を有しており、この差込部７，８が切込部２４，２５にそれぞれ挿入されることにより、中敷６がボックスファイルの底部９に固定される。
【００１５】
切込部２４，２５は、底部９が形成された状態で係止片３ｂ，５ｂにおける表裏面の双方が露出する箇所に形成されているので、差込部７，８の挿入を容易に行うことができる。特に、本実施形態においては、切込部２４，２５によって係止片３ｂ，５ｂに舌状片２４ａ，２５ａが形成されているので、差込部７，８を挿入する際に、舌状片２４ａ，２５ａの先端部を裏面側から押し上げることができ、差込部７，８の挿入をより容易に行うことができる。
【００１６】
本実施形態のボックスファイルによれば、中敷６がボックスファイルの底部９に単に載置されているのではなく、中敷６の差込部７，８をそれぞれ切込部２４，２５に挿入することで、中敷６が底部９に固定されているので、ボックスファイルを倒したり、逆さまにした場合でも、中敷６が移動することがなく、底部９を覆った状態を確実に維持することができる。したがって、底部９の凹凸による収納物の損傷や中敷６の脱落を防止することができる。更に、中敷６によって底部９を確実に補強することができるという効果も期待できる。
【００１７】
以上、本発明の一実施形態について詳述したが、本発明の具体的な態様は上記実施形態に限定されるものではない。例えば、本実施形態においては、底部９の形成において、前板２の係止片２ｂが、右側板３及び左側板５の係止片３ｂ，５ｂよりも先に折り曲げられるため、露出用切欠部２１，２２によって切込部２４，２５の表面側を露出させているが、右側板３及び左側板５の係止片３ｂ，５ｂを先に折り曲げて底部９を形成するように構成した場合には、前板２の係止片２ｂ（または、後板４の係止片４ｂ）に形成した露出用切欠部によって切込部２４，２５の裏面側を露出させるようにしてもよい。また、前板２及び後板４の係止片２ｂ，４ｂを、切込部２４，２５を回避するような形状とすることによって、露出用切欠部を形成することなく切込部２４，２５の表裏面を露出させることもできる。
【００１８】
また、本実施形態においては、切込部２４，２５を円弧状とすることで舌状片２４ａ，２５ａを形成しているが、舌状片２４ａ，２５ａの端縁形状は、円弧状以外の形状であってもよい。
【００１９】
また、舌状片２４ａ，２５ａの形成は必ずしも必要ではなく、例えば、直線状の切込部２４，２５に中敷６の差込部７，８を挿入するように構成することもできる。一方、中敷６に差込部７，８を設けずに、舌状片２４ａ，２５ａにより中敷６の縁部を挟持するようにしてもよい。
【００２０】
また、本実施形態においては、右側板３及び左側板５の係止片３ｂ，５ｂに切込部２４，２５を形成しているが、中敷６を確実に固定可能である限り、前板２及び後板４の係止片２ｂ，４ｂに切込部２４，２５を形成してもよい。    
【図面の簡単な説明】
【００２１】
【図１】本発明の一実施形態に係るボックスファイルの展開図である。
【図２】図１に示すボックスファイルを組み立てた状態の平面図である。
【図３】従来のボックスファイルの展開図である。
【図４】図３に示すボックスファイルを組み立てた状態の斜視図である。
【符号の説明】
【００２２】
２  前板
３  右側板
４  後板
５  左側板
２ｂ〜５ｂ  係止片
６  中敷
７，８  差込部
９  底部
２４，２５  切込部
２４ａ，２５ａ  舌状片
【図１】
2006272703.tif 000003
【図２】
2006272703.tif 000004
【図３】
2006272703.tif 000005
【図４】
2006272703.tif 000006